(57)【要約】【課題】エレベータ利用者が携帯するＩＣカード等の登録カードに対応させて不停止解除階の設定登録や変更登録を行う場合に、専用の登録装置を用いることなく安価な構成により、かつ、わかり易い操作により容易に登録する。【解決手段】エレベータのセキュリティ登録装置において、ＩＤデータが登録された登録カード７のＩＤデータを読取るカードリーダ８と行先階を入力操作する行先階ボタン９とを備えた乗りかご１内の操作盤６からの入力操作のモードを、通常モードから登録モードに切替えるモード切替手段と、登録モードに切替えられ、カードリーダ８により登録カード７のＩＤデータが読取られ、行先階ボタン９により行先階が入力された場合に、入力された行先階を読取られたＩＤデータに対応付けられた不停止解除階として登録する不停止解除階登録手段と、を備える。【選択図】図１
2008050112.tif 000002
【特許請求の範囲】
【請求項１】
ＩＤデータが登録された登録カードの前記ＩＤデータを読取るカードリーダと行先階を入力操作する行先階ボタンとを備えた乗りかご内の操作盤からの入力操作のモードを、通常モードから登録モードに切替えるモード切替手段と、
前記登録モードに切替えられ、前記カードリーダにより前記登録カードの前記ＩＤデータが読取られ、前記行先階ボタンにより行先階が入力された場合に、入力された前記行先階を読取られた前記ＩＤデータに対応付けられた不停止解除階として登録する不停止解除階登録手段と、
を備えることを特徴とするエレベータのセキュリティ登録装置。
【請求項２】
前記操作盤に戸開ボタンと戸閉ボタンとが設けられ、前記登録モードに切替えられている場合に、前記戸開ボタンと前記戸閉ボタンとの一方が、不停止解除階として入力された前記行先階の決定ボタンとして割り当てられ、前記戸開ボタンと前記戸閉ボタンとの他方が、不停止解除階として入力された前記行先階のキャンセルボタンとして割り当てられていることを特徴とする請求項１記載のエレベータのセキュリティ登録装置。
【請求項３】
前記操作盤には前記行先階ボタンが入力操作された場合に点灯するボタン灯が個々の前記行先階ボタンごとに設けられ、
前記登録モードに切替えられ、前記登録カードの前記ＩＤデータの読取りが行われた場合に、読取られた前記ＩＤデータに対応付けられた既登録の不停止解除階が存在する場合には、既登録の不停止解除階に対応する前記行先階ボタンの前記ボタン灯を点灯させる手段を備えることを特徴とする請求項１又は２記載のエレベータのセキュリティ登録装置。
【請求項４】
前記乗りかご内に前記操作盤が複数設置され、１つの前記操作盤からの入力操作のモードが登録モードに切替えられている場合に、他の前記操作盤からの入力操作のモードを通常モードに切替え可能であることを特徴とする請求項１ないし３のいずれか一記載のエレベータのセキュリティ登録装置。
【発明の詳細な説明】
【技術分野】
【０００１】
本発明は、エレベータのセキュリティ登録装置に関し、特に、エレベータ利用者が携帯するＩＤデータが登録された登録カードを用いて不停止階の解除を行うエレベータのセキュリティ登録装置に関する。
【背景技術】
【０００２】
例えば、下記特許文献１に記載されているように、エレベータの乗りかご内にカードリーダ等の識別装置を設け、エレベータ利用者が携帯するＩＣカード等の登録カードを識別装置で読取り、この読取結果に応じた特定の行先階についてエレベータの不停止を解除し、エレベータ利用者が当該行先階に行くことを許容するようにしたエレベータのセキュリティシステムが知られている。
【０００３】
このようなエレベータのセキュリティシステムにおいては、各登録カードに対応付けられた不停止解除階の設定登録や変更登録を、専用の登録装置を用いて行っている。
【特許文献１】特開平１１−６００８４号公報
【発明の開示】
【発明が解決しようとする課題】
【０００４】
したがって、各登録カードに対応付けられた不停止解除階の設定登録や変更登録を行うためには専用の登録装置が必要であり、費用がかかっている。
【０００５】
また、建物の各行先階の表示は数字のみが用いられるとは限らず、規準階を示す「Ｇ」や、屋上を示す「Ｒ」や、中間階を示す「Ｍ」等の記号が用いられている場合がある。このため、登録装置を用いて不停止解除階の設定登録や変更登録を行う場合には、建物の各行先階を示す記号と、登録装置に設けられている各行先階を示すボタンとを対応付ける変換テーブルを各建物ごとに設定する必要があり、費用がかかる原因の一つになっている。
【０００６】
また、前述した変換テーブルを用いずに不停止解除階の設定登録や変更登録を行った場合には、登録内容を間違え、本来は不停止解除階とすべき行先階を不停止階としたり、本来は不停止階とすべき行先階を不停止解除階とする場合がある。
【０００７】
本発明はこのような課題を解決するためになされたもので、その目的は、エレベータ利用者が携帯するＩＣカード等の登録カードに対応させて不停止解除階の設定登録や変更登録を行う場合に、専用の登録装置を用いることなく安価な構成により、かつ、わかり易い操作により容易に登録することができるエレベータのセキュリティ登録装置を提供することである。
【課題を解決するための手段】
【０００８】
本発明の実施の形態に係る第１の特徴は、エレベータのセキュリティ登録装置において、ＩＤデータが登録された登録カードの前記ＩＤデータを読取るカードリーダと行先階を入力操作する行先階ボタンとを備えた乗りかご内の操作盤からの入力操作のモードを、通常モードから登録モードに切替えるモード切替手段と、前記登録モードに切替えられ、前記カードリーダにより前記登録カードの前記ＩＤデータが読取られ、前記行先階ボタンにより行先階が入力された場合に、入力された前記行先階を読取られた前記ＩＤデータに対応付けられた不停止解除階として登録する不停止解除階登録手段と、を備えることである。
【発明の効果】
【０００９】
本発明によれば、各登録カードごとに登録されたＩＤデータに対応付けた不停止解除階を登録する場合、専用の登録装置を用いることなく安価な構成により、かつ、視覚的にわかり易い操作により容易に登録することができる。
【発明を実施するための最良の形態】
【００１０】
以下、本発明の一実施の形態を図面を用いて説明する。
【００１１】
エレベータのセキュリティ登録装置のシステム構成を図１に示す。エレベータの昇降路内には、乗りかご１が昇降可能に設置されている。昇降路の壁面部には、エレベータ制御盤２が設置されている。乗りかご１の天井部分には、カードリーダコントローラ３とエレベータＩ／Ｆ入力部４とエレベータＩ／Ｆ出力部５とが設置されている。
【００１２】
乗りかご１内には、操作盤６が設けられている。操作盤６には、エレベータ利用者が携帯する登録カードであるＩＣカード７に登録されているＩＤデータを読取るカードリーダ８と、乗りかご１内に乗り込んだエレベータ利用者が行先階を入力操作する複数の行先階ボタン９と、乗りかご１のドアを開放させる戸開ボタン１０と、乗りかご１のドアを閉止させる戸閉ボタン１１と、スイッチボックス１２とが設けられている。スイッチボックス１２内にはオン・オフ切替可能な登録スイッチ１３が設けられ、登録スイッチ１３をオフに切替えることにより操作盤６からの入力操作のモードが通常モードになり、登録スイッチ１３をオンに切替えることにより操作盤６からの入力操作のモードが登録モードになる。スイッチボックス１２は、専用キーによって開閉可能な構造とされている。
【００１３】
エレベータ制御盤２は、操作盤６とカードリーダコントローラ３とに接続されている。エレベータ制御盤２とカードリーダコントローラ３とは、エレベータＩ／Ｆ入力部４とエレベータＩ／Ｆ出力部５とを介して接続されている。エレベータ制御盤２は、各種のプログラムや固定データを格納したＲＯＭと、外部から入力されたデータやカードリーダコントローラ３から呼び出したデータ等を一時的に記憶するＲＡＭと、ＲＡＭに記憶されたデータとＲＯＭに格納されたプログラム等とを用いて各種演算を行うＣＰＵとを備えている。
【００１４】
カードリーダコントローラ３は、エレベータ制御盤２とカードリーダ８とに接続されている。カードリーダコントローラ３には、登録部１４と処理部１５とが設けられている。登録部１４には、図３に示すように、各ＩＣカード７ごとに登録されているＩＤデータと、各ＩＤデータに対応付けられた不停止解除階データとを登録する登録テーブル１６が設けられている。
【００１５】
このエレベータは、エレベータ利用者が携帯するＩＣカード７に登録されているＩＤデータをカードリーダ８で読取り、読取ったＩＤデータに対応付けて登録部１４に不停止解除階データとして登録されている行先階（不停止解除階）にのみ乗りかご１を運行可能とし、読取ったＩＤデータに対応付けて登録されている行先階以外の行先階（不停止階）への乗りかご１の運行を不可能とするシステムを採用している。
【００１６】
通常モードは、エレベータ利用者を目的とする行先階に運ぶように乗りかご１を運行させる通常使用時のモードであり、登録スイッチ１３がオフにされている。
【００１７】
登録モードは、各エレベータ利用者が乗りかご１を運行させることができる行先階（不停止解除階）を、ＩＣカード７のＩＤデータに対応付けて登録するモードであり、登録スイッチ１３がオンにされることにより登録モードに切り替わる。不停止解除階の登録は、エレベータを管理する管理者によって行われる。この不停止解除階の登録には、新規の登録の場合と、変更登録の場合とがある。
【００１８】
個々の行先階ボタン９には、ボタン灯（図示せず）が内蔵されている。ボタン灯は、行先階ボタン９が入力操作された場合に点灯し、エレベータ利用者や管理者に対して入力操作された行先階ボタン９を報知する。
【００１９】
カードリーダ８には、ＬＥＤを用いたＯＫ灯８ａとＮＧ灯８ｂとが設けられている。これらのＯＫ灯８ａとＮＧ灯８ｂとは必要に応じて点灯され、例えば、カードリーダ８により読取ったＩＤデータが登録部１４の登録テーブル１６に登録されていることを確認できた場合にはＯＫ灯８ａが点灯され、確認できなかった場合にはＮＧ灯８ｂが点灯される。
【００２０】
カードリーダコントローラ３は、図２に示すように、カード認証判断部１７と、不停止解除階信号生成部１８と、不停止解除階更新部１９と、ＬＥＤ制御部２０と、登録部１４と、接点出力部２１と、接点入力部２２とを有している。
【００２１】
登録信号は、登録スイッチ１３のオン・オフに対応してエレベータ制御盤２から出力される信号であり、エレベータＩ／Ｆ出力部５から接点入力部２２を介して不停止解除階更新部１９に送信される。不停止解除階更新部１９は、登録信号がオンの場合は登録モードとなり、登録信号がオフの場合は通常モードとなる。
【００２２】
また、不停止解除階更新部１９は、ＬＥＤ制御部２０に対してＬＥＤ制御信号を送信する。ＬＥＤ制御部２０は、ＬＥＤ制御信号をカードリーダ８に送信し、登録モードの場合はＯＫ灯８ａとＮＧ灯８ｂとを交互に点滅させる。通常モードに切替わった場合は、ＯＫ灯８ａとＮＧ灯８ｂとを消灯させる。ＬＥＤ制御信号は、接点信号のようなレベル信号やシリアル通信により制御信号によるものである。
【００２３】
カードリーダ８による読取りによってＩＤデータを取得した場合は、カード認証判断部１７は、登録部１４の登録テーブル１６内から記憶されているＩＤデータを呼び出し、読取ったＩＤデータと順次比較する。
【００２４】
読取ったＩＤデータと同じＩＤデータが登録部１４の登録テーブル１６内に登録されていると判断した場合には、ＩＤデータを不停止解除階信号生成部１８に送信する。ＩＤデータを送信された不停止解除階信号生成部１８は、登録部１４から送信されたＩＤデータに対応する不停止解除階データを取得する。
【００２５】
不停止解除階信号生成部１８は、取得した不停止解除階データを不停止解除階信号に変換し、接点出力部２１に送信する。接点出力部２１はエレベータＩ／Ｆ入力部４に接続されており、不停止解除階信号に応じた複数の接点を一定時間オンの状態にする。これにより、エレベータは、登録モードの場合は不停止解除階に対応する行先階ボタン９のボタン灯が点灯され、通常モードの場合は不停止解除階について不停止を解除される。
【００２６】
また、不停止解除階信号生成部１８は、読取ったＩＤデータを不停止解除階更新部１９に送信する。不停止解除階更新部１９は、ＩＤデータが送信された場合、ＬＥＤ制御部２０を介してＬＥＤ制御信号を出力し、ＯＫ灯８ａを一定時間点灯させることで、ＩＤデータが正常に読み込まれたことを管理者に報知する。
【００２７】
また、カード認証判断部１７により登録部１４にＩＤデータが登録されていないと判断した場合には、ＩＤデータが不停止解除階更新部１９に送信される。不停止解除階更新部１９は、登録モードの場合は新規に登録するＩＣカード７について読取りが行われたと判断し、ＯＫ灯８ａを一定時間点灯させることでＩＤデータが正常に読み込まれたことを管理者に報知する。また、通常モードの場合は、不停止解除階が登録されていないＩＣカード７について読取が行われたと判断し、ＩＤデータを破棄すると共にＮＧ灯８ｂを一定時間点灯させることで、エレベータ利用者に対して不停止解除階が未登録であることを報知する。
【００２８】
このような構成において、操作盤６からの入力操作のモードが通常モードに切替えられ、一般のエレベータ利用者を目的とする行先階に運ぶように乗りかご１が運行される場合の動作について、図１及び図４を参照して説明する。なお、これらの一連の動作は、エレベータ制御盤２による制御の元で行われる。
【００２９】
通常モードに切替えられている場合には、カードリーダ８がＩＤデータの読取りに備えて待機しており、ＩＤデータが読取れたか否かが判断される（Ｓ１）。通常モードに切替えられている場合におけるＩＤデータの読取りは、乗りかご１に乗り込んだエレベータ利用者が、携帯するＩＣカード７をカードリーダ８の前にかざすことにより行われる。なお、ＩＤデータの読取りは、ＩＣカード７が真正のものである場合にのみ行われ、偽物である場合には読取りは行われない。
【００３０】
ＩＤデータが読取られた場合は（Ｓ１のＹＥＳ）、読取られたＩＤデータがカードリーダコントローラ３に送信され（Ｓ２）、登録部１４に同じＩＤデータが登録されているか否かが判断される（Ｓ３）。登録されていないと判断された場合は（Ｓ３のＮＯ）、ＬＥＤ制御信号がカードリーダ８に送信されてＮＧ灯８ｂが一定時間点灯され（Ｓ４）、ステップＳ１に戻る。ＮＧ灯８ｂの点灯により、エレベータ利用者に対してＩＤデータの読取を失敗したことが報知される。この場合には、行先階ボタン９の入力操作を行っても、その入力操作は無効となる。
【００３１】
登録部１４に同じＩＤデータが登録されていると判断された場合は（Ｓ３のＹＥＳ）、ＬＥＤ制御信号がカードリーダ８に送信されてＯＫ灯８ａが一定時間点灯され（Ｓ５）、エレベータ利用者に対してＩＤデータの読取を成功したことが報知される。
【００３２】
ＯＫ灯８ａが点灯された後、読取られたＩＤデータと同じＩＤデータに対応付けて登録部１４に登録されている不停止解除階データに基づいた不停止解除階信号がカードリーダコントローラ３において生成され、この不停止解除階信号がエレベータＩ／Ｆ入力部４を介してエレベータ制御盤２に出力される（Ｓ６）。
【００３３】
不停止解除階信号がエレベータ制御盤２に出力された後、不停止解除階信号が出力されてからの時間が所定時間の経過前であるか否か（Ｓ７）と、行先階ボタン９が入力操作されたか否か（Ｓ８）と、行先階ボタン９が入力操作された行先階が不停止を解除された行先階に含まれているか否か（Ｓ９）とが判断される。
【００３４】
不停止解除階信号が出力されてからの時間が所定時間の経過前であり（Ｓ７のＹＥＳ）、行先階ボタン９が入力操作され（Ｓ８のＹＥＳ）、入力操作された行先階が不停止を解除された行先階である場合（Ｓ９のＹＥＳ）には、行先階ボタン９の入力操作が有効とされ（Ｓ１０）、ボタン灯を点灯させるボタン灯制御信号が出力されて入力操作した行先階ボタン９のボタン灯が点灯される（Ｓ１１）。このボタン灯の点灯により、乗りかご１が運行される行先階がエレベータ利用者に対して報知される。行先階ボタン９のボタン灯が点灯された後、乗りかご１はボタン灯が点灯された行先階に向けて運行される（Ｓ１２）。
【００３５】
ステップＳ７において、所定時間が経過した場合には（Ｓ７のＮＯ）、出力された不停止解除階信号がキャンセルされ（Ｓ１３）、ステップＳ１に戻る。所定時間が経過して不停止解除階信号がキャンセルされる場合としては、行先階ボタン９が入力操作されなかった場合と（Ｓ８のＮＯ）、行先階ボタン９が入力操作されたが入力操作された行先階が不停止を解除された行先階に含まれていない場合（Ｓ９のＮＯ）とがある。
【００３６】
したがって、エレベータ利用者は、自分が携帯するＩＣカード７に登録されているＩＤデータに基づき、このＩＤデータに対応付けて登録部１４に登録されている不停止解除階データにより特定される行先階にのみ乗りかご１を運行させることが可能となる。
【００３７】
つぎに、操作盤６からの入力操作のモードが登録モードに切替えられ、各ＩＣカード７に登録されているＩＤデータに対応付けられる不停止解除階が登録される場合の動作について、図５及び図１を参照して説明する。これらの一連の動作は、エレベータ制御盤２による制御の元で行われる。
【００３８】
このエレベータは、操作盤６からの入力操作のモードを登録モードと通常モードとに切替可能であり、このモード切替は登録スイッチ１３のオン・オフ切替により行われる。
【００３９】
エレベータ制御盤２は、登録スイッチ１３がオンに切替えられることに伴って登録スイッチ信号が入力されたか否かを判断しており（Ｓ２１）、登録スイッチ信号がエレベータ制御盤２に入力された場合には（Ｓ２１のＹＥＳ）、エレベータ制御盤２が登録モードに切替わる（Ｓ２２）。なお、エレベータ制御盤２への登録スイッチ信号の入力は、管理者がスイッチボックス１２を開け、登録スイッチ１３をオンにすることにより行われる。
【００４０】
エレベータ制御盤２に入力された登録スイッチ信号は、エレベータＩ／Ｆ出力部５を介してカードリーダコントローラ３に送信され、この登録スイッチ信号の送信によりカードリーダコントローラ３が登録モードに切替わる（Ｓ２３）。これらのステップＳ２２，Ｓ２３の処理により、操作盤６からの入力操作のモードを、通常モードから登録モードに切替えるモード切替手段が実行される。エレベータ制御盤２が登録モードに切替わることにより、行先階ボタン９は行先階を登録する処理部から切り離され、不停止を解除される行先階を登録するためのボタンとして割り当てられる。
【００４１】
カードリーダコントローラ３が登録モードに切替わった場合は、カードリーダコントローラ３からカードリーダ８に対してＬＥＤ制御信号が出力され、ＯＫ灯８ａとＮＧ灯８ｂとが交互に点滅され（Ｓ２４）、管理者に対して登録モードに切替わったことが報知される。
【００４２】
登録モードに切替わった場合には、カードリーダ８がＩＤデータの読取りに備えて待機しており、ＩＤデータが読取れたか否かが判断される（Ｓ２５）。登録モードに切替えられている場合におけるＩＤデータの読取りは、不停止解除階を登録しようとする管理者が、準備したＩＣカード７をカードリーダ８の前にかざすことにより行われる。
【００４３】
また、登録モードに切替えられた場合は、不停止解除階として入力された行先階を決定する決定ボタンとして戸開ボタン１０が割り当てられ、不停止解除階として入力された行先階をキャンセルするキャンセルボタンとして戸閉ボタン１１が割り当てられる。
【００４４】
ＩＤデータが読取られた場合は（Ｓ２５のＹＥＳ）、読取られたＩＤデータがカードリーダコントローラ３に送信される（Ｓ２６）。ＩＤデータがカードリーダコントローラ３に送信されると、カードリーダコントローラ３からカードリーダ８に対してＬＥＤ制御信号が出力されてＯＫ灯８ａの点滅速度が一定時間速められ（Ｓ２７）、カードＩＤの読取りを成功したことが管理者に報知される。
【００４５】
読取られたＩＤデータがカードリーダコントローラ３に送信されると、送信されたＩＤデータと同じＩＤデータが登録部１４の登録テーブル１６内に登録されているか否かが判断される（Ｓ２８）。登録されていると判断された場合は（Ｓ２８のＹＥＳ）、そのＩＤデータに対応付けて登録テーブル１６内に登録されている不停止解除階データに基づいて不停止解除階信号が生成され、生成された不停止解除階信号がエレベータＩ／Ｆ入力部４を介してエレベータ制御盤２に送信される（Ｓ２９）。
【００４６】
不停止解除階信号がエレベータ制御盤２に送信されると、送信された不停止解除階信号に応じたボタン灯制御信号が生成され、このボタン灯制御信号が操作盤６に送信されることにより既登録の不停止解除階に対応する行先階ボタン９のボタン灯が点灯される（Ｓ３０）。ここに、登録モードにおいて、読取られたＩＤデータに対応付けられた既登録の不停止解除階が存在する場合に、既登録の不停止解除階に対応する行先階ボタン９のボタン灯を点灯させる手段が実行される。このボタン灯の点灯により、読取りを行ったＩＣカード７について、既登録の不停止解除階が何階であるかを管理者に報知することができる。
【００４７】
なお、読み取りを行ったＩＣカード７が新規のカードである場合は、登録部２８に同じＩＤデータの登録は無いので（Ｓ２８のＮＯ）、ステップＳ３０で説明する行先階ボタン９のボタン灯の点灯は行われない。
【００４８】
ＩＤデータの読取りが行われ（Ｓ２５のＹＥＳ）、ステップＳ２６〜Ｓ３０の処理が行われた後は、キャンセルボタンとして割り当てられた戸閉ボタン１１からの戸閉信号（キャンセル信号）がエレベータ制御盤２に入力されたか否か（Ｓ３１）と、管理者による行先階ボタン９の入力操作に伴う登録用行先階信号がエレベータ制御盤２に入力されたか否か（Ｓ３２）とが判断される。
【００４９】
戸閉信号が入力された場合は（Ｓ３１のＹＥＳ）、既に行われたＳ２６〜Ｓ３０の処理がキャンセルされ（Ｓ３３）、ＬＥＤ制御信号が出力されてＮＧ灯８ｂが一定時間点灯され（Ｓ３４）、ステップＳ２５に戻る。ステップＳ３４のＮＧ灯８ｂの点灯により、管理者に対し、読み取ったＩＤデータがキャンセルされたことが報知される。また、登録用行先階信号が入力された場合は（Ｓ３２のＹＥＳ）、入力された登録用行先階信号に応じたボタン灯制御信号が生成され（Ｓ３５）、このボタン灯制御信号が操作盤６に送信されることにより入力操作された行先階ボタン９のボタン灯が点灯される（Ｓ３６）。なお、既登録の不停止解除階が存在する場合には、既登録の不停止解除階に対応する行先階ボタン９のボタン灯の点灯が維持されることに加えて、入力操作された行先階ボタン９のボタン灯が点灯される。
【００５０】
ステップＳ３５、Ｓ３６の処理が行われた後、キャンセルボタンとして割り当てられた戸閉ボタン１１からの戸閉信号（キャンセル信号）がエレベータ制御盤２に入力されたか否か（Ｓ３７）と、決定ボタンとして割り当てられた戸開ボタン１０からの戸開信号（決定信号）がエレベータ制御盤２に入力されたか否か（Ｓ３８）とが判断される。
【００５１】
戸閉信号が入力された場合には（Ｓ３７のＹＥＳ）、ステップＳ３５、Ｓ３６の処理がキャンセルされ（Ｓ３９）、ステップＳ３１に戻る。戸開信号が入力された場合は（Ｓ３８のＹＥＳ）、ランプ灯が点灯されている不停止解除階についての不停止解除階データがＩＤデータと対応付けて登録部１４に登録され（Ｓ４０）、ＯＫ灯８ａが点灯される（Ｓ４１）。ステップＳ４１のＯＫ灯８ａの点灯により、管理者に対し、不停止解除階の登録が正常に行われたことが報知される。ここに、ステップＳ２６〜Ｓ４０の一連の処理により、不停止解除階の登録を乗りかご１内の操作盤６を利用して行う不停止解除階登録手段が実行される。
【００５２】
図５のフローチャートにおけるステップＳ３８に示す戸開信号は、エレベータＩ／Ｆ出力部５から接点入力部２２を介して不停止解除階更新部１９に送信され、不停止解除階更新部１９は接点入力部２２から送信される登録用行先階信号から、不停止解除階データを生成する。
【００５３】
読み取りを行ったＩＣカード７が新規のカードである場合は、ＩＤデータと不停止解除階データとを登録部１４に登録する更新指令が、不停止解除階更新部１９から登録部１４に出力される。
【００５４】
読み取りを行ったＩＣカード７が登録済のカードである場合は、ＩＤデータに対する不停止解除階データの更新を行う更新指令が、不停止解除階更新部１９から登録部１４に出力される。
【００５５】
登録部１４は、新規登録又は更新が終了した場合には、更新情報を不停止解除階更新部１９に送信する。不停止解除階更新部１９はこの更新情報を受け取った場合に、ＬＥＤ制御部２０を介してカードリーダ８に制御信号を出力し、ＯＫ灯８ａを一定時間点灯させ（図５のＳ４１）、管理者に対し、不停止解除階の登録が正常に行われたことを報知することができる。
【００５６】
図５のフローチャートにおけるステップＳ３１に示す戸閉信号は、エレベータＩ／Ｆ出力部５から接点入力部２２を介して不停止解除階更新部１９に送信され、この戸閉信号の送信により不停止解除階更新部１９は読取ったＩＤデータをキャンセルし、登録部１４のデータを更新しないように動作する。
【００５７】
また、この場合は、不停止解除階更新部１９からＬＥＤ制御部２０を介してカードリーダ８に制御信号を出力し、ＮＧ灯８ｂを一定時間点灯させ（図５のＳ３４）、管理者に対し、読み取ったＩＤデータがキャンセルされたことを報知することができる。
【００５８】
なお、乗りかご１内には、操作盤６が複数設置されている場合がある。この場合において、一つの操作盤６を用いて不停止解除階の登録を行っている場合に、他の操作盤６を用いて通常モードにより乗りかご１を目的階に向けて運行させるようにしてもよい。この場合には、エレベータ制御盤２及びカードリーダコントローラ３の構成が、通常モードによる処理と、登録モードによる処理とを並行処理可能な構成とされている。
【図面の簡単な説明】
【００５９】
【図１】本発明の第１の実施の形態にエレベータのセキュリティ登録装置のシステム構成を示すブロック図である。
【図２】カードリーダコントローラの構成を示すブロック図である。
【図３】ＩＤデータと各ＩＤデータに対応付けられた不停止解除階データとが登録された登録テーブルを示す説明図である。
【図４】通常モードにおける乗りかごの運行制御について説明するフローチャートである。
【図５】登録モードにおける不停止解除階の登録動作について説明するフローチャートである。
【符号の説明】
【００６０】
１      乗りかご
６      操作盤
７      登録カード
８      カードリーダ
９      行先階ボタン
１０      戸開ボタン
１１      戸閉ボタン
【図１】
2008050112.tif 000003
【図２】
2008050112.tif 000004
【図３】
2008050112.tif 000005
【図４】
2008050112.tif 000006
【図５】
2008050112.tif 000007